【手続補正書】
【提出日】平成20年9月1日(2008.9.1)
【手続補正１】
【補正対象書類名】特許請求の範囲
【補正対象項目名】全文
【補正方法】変更
【補正の内容】
【特許請求の範囲】
【請求項１】
二酸化炭素を含有する第１のガスを、二酸化炭素を固化させる温度で冷却することにより、前記第１のガスに含まれる二酸化炭素を固化させ、前記第１のガスが導入された容器の内部の面に付着させて、前記固化した二酸化炭素が付着した前記面に第２のガスを吹き付けることによって、前記固化した二酸化炭素を前記面より分離し、前記第１のガスから除去することを特徴とするガス処理装置。
【請求項２】
二酸化炭素を含有する第１のガスから前記二酸化炭素を除去するためのガス処理装置であって、
二酸化炭素を含有する前記第１のガスを供給するための第１の入口と、前記二酸化炭素の一部又は全部を除去した後の第１のガスを排出するための第１の出口と、固化した二酸化炭素を排出するための第２の出口とを備えた容器と、
前記二酸化炭素を固化させるための冷却装置と、
前記冷却装置によって固化した二酸化炭素が付着した前記容器の内部の面に第２のガスを吹き付けるためのガス噴射装置と、
を備え、
前記容器は、
前記第１の入口より供給される前記第１のガスの量を制御するための手段と、
前記第１の出口より排出される前記二酸化炭素の一部又は全部を除去した後の第１のガスの量を制御するための手段と、
を備えることを特徴とするガス処理装置。
【請求項３】
前記冷却装置が、二酸化炭素が固化する温度以下の温度の冷媒を流通させるための冷媒流通装置であることを特徴とする、請求項２に記載のガス処理装置。
【請求項４】
前記冷媒流通装置は管状であり、前記容器内部に蛇行して設けられていることを特徴とする、請求項３に記載のガス処理装置。
【請求項５】
前記第２のガスが、圧縮ガスであることを特徴とする、請求項２〜４のいずれか一項に記載のガス処理装置。
【請求項６】
前記ガス噴射装置が、オリフィスを備えていることを特徴とする、請求項２〜５のいずれか一項に記載のガス処理装置。
【請求項７】
二酸化炭素、硫黄酸化物を含有する第１のガスを、二酸化炭素を固化させないが前記硫黄酸化物を液化させる第１の温度に冷却することにより、前記第１のガスに含まれる硫黄酸化物を液化させて前記第１のガスから除去するための第１の装置と、
前記硫黄酸化物を除去した第１のガスを、二酸化炭素を固化させる第２の温度で冷却することにより、前記硫黄酸化物を除去した第１のガスに含まれる二酸化炭素を固化させ、前記硫黄酸化物を除去した第１のガスが導入された容器の内部の面に付着させて、前記固化した二酸化炭素が付着した前記面に第２のガスを吹き付けることによって、前記固化した二酸化炭素を前記面より分離し、前記硫黄酸化物を除去した第１のガスから除去するための第２の装置と、
を備えることを特徴とするガス処理システム。
【請求項８】
二酸化炭素、硫黄酸化物を含有する第１のガスから前記二酸化炭素、硫黄酸化物を除去するためのガス処理システムであって、
前記ガス処理システムは、第１の装置と第２の装置を含み、
前記第１の装置は、
前記二酸化炭素、硫黄酸化物を含有する前記第１のガスを供給するための第４の入口と、前記硫黄酸化物の一部または全部を除去した後の第１のガスを排出するための第４の出口と、前記硫黄酸化物を排出するための第５の出口とを備えた第１の容器と、
前記硫黄酸化物を液化させるための第１の冷却装置と、
を備え、
前記第２の装置は、
前記第４の出口から排出された前記硫黄酸化物の一部または全部を除去した後の第１のガスを供給するための第１の入口と、前記二酸化炭素の一部または全部を除去した後の第１のガスを排出するための第１の出口と、固化した二酸化炭素を排出するための第２の出口とを備えた第２の容器と、
前記二酸化炭素を固化させるための第２の冷却装置と、
第２の冷却装置によって固化した二酸化炭素が付着した前記容器の内部の面に第２のガスを吹き付けるためのガス噴射装置と、
を備え、
前記第１の容器は、
前記第４の入口より供給される前記第１のガスの量を制御するための手段と、
前記第４の出口より排出される前記硫黄酸化物の一部または全部を除去した後の第１のガスの量を制御するための手段と、
を備え、
前記第２の容器は、
前記第１の入口より供給される前記硫黄酸化物の一部または全部を除去した後の第１のガスの量を制御するための手段と、
前記第１の出口より排出される前記二酸化炭素の一部または全部を除去した後の第１のガスの量を制御するための手段と、
を備えることを特徴とするガス処理システム。
【請求項９】
前記第１の冷却装置は、前記硫黄酸化物が液化する温度以下の温度の冷却媒体に、前記二酸化炭素、硫黄酸化物を含有する第１のガスを流通させることにより、前記第１のガスに含まれる硫黄酸化物を前記第１のガスから除去することを特徴とする、請求項８に記載のガス処理システム。
【請求項１０】
二酸化炭素、硫黄酸化物を含有する第１のガスを、二酸化炭素を固化させないが前記硫黄酸化物を液化させる第１の温度に冷却することにより、前記第１のガスに含まれる硫黄酸化物を液化させて前記第１のガスから除去するための第１の装置と、
前記硫黄酸化物を除去した第１のガスを、二酸化炭素を固化させる第２の温度で冷却することにより、前記硫黄酸化物を除去した第１のガスに含まれる二酸化炭素を固化させ、前記硫黄酸化物を除去した第１のガスが導入された容器の内部の面に付着させて、前記固化した二酸化炭素が付着した前記面に第２のガスを吹き付けることによって、前記固化した二酸化炭素を前記面より分離し、前記硫黄酸化物を除去した第１のガスから除去するための第２の装置と、
を備えることを特徴とするガス処理システム。
【請求項１１】
二酸化炭素、硫黄酸化物を含有する第１のガスから前記二酸化炭素、硫黄酸化物を除去するためのガス処理システムであって、
前記ガス処理システムは、第１の装置と第２の装置を含み、
前記第１の装置は、
前記二酸化炭素、及び硫黄酸化物を含有する前記第１のガスを供給するための第４の入口と、前記硫黄酸化物の一部または全部を除去した後の第１のガスを排出するための第４の出口と、前記硫黄酸化物を排出するための第５の出口とを備えた第１の容器と、
前記硫黄酸化物を液化させるための第１の冷却装置と、
を備え、
前記第２の装置は、
前記第４の出口から排出された前記硫黄酸化物の一部または全部を除去した後の第１のガスを供給するための第１の入口と、前記二酸化炭素の一部または全部を除去した後の第１のガスを排出するための第１の出口と、固化した二酸化炭素を排出するための第２の出口とを備えた第２の容器と、
前記二酸化炭素を固化させるための第２の冷却装置と、
第２の冷却装置によって固化した二酸化炭素が付着した前記容器の内部の面に第２のガスを吹き付けるためのガス噴射装置と、
を備え、
前記第１の容器は、
前記第４の入口より供給される前記第１のガスの量を制御するための手段と、
前記第４の出口より排出される前記硫黄酸化物の一部または全部を除去した後の第１のガスの量を制御するための手段と、
を備え、
前記第２の容器は、
前記第１の入口より供給される前記硫黄酸化物の一部または全部を除去した後の第１のガスの量を制御するための手段と、
前記第１の出口より排出される前記二酸化炭素の一部または全部を除去した後の第１のガスの量を制御するための手段と、
を備えることを特徴とするガス処理システム。
【請求項１２】
前記第１の冷却装置は、前記硫黄酸化物が液化する温度以下の温度の冷却媒体に、前記二酸化炭素、及び硫黄酸化物を含有する第１のガスを流通させることにより、前記第１のガスに含まれる硫黄酸化物を前記第１のガスから除去することを特徴とする、請求項１１に記載のガス処理システム。
【請求項１３】
前記冷却媒体が、ジメチルエーテル、メタノール、エタノール、トルエン、エチルベンゼンのいずれかを含むことを特徴とする、請求項９、１２のいずれか一項に記載のガス処理システム。
【請求項１４】
前記第２の冷却装置が、二酸化炭素が固化する温度以下の温度の冷媒を流通させるための冷媒流通装置であることを特徴とする、請求項８〜９、１１〜１２のいずれか一項に記載のガス処理システム。
【請求項１５】
前記冷媒流通装置は管状であり、前記第２の容器内部に蛇行して設けられていることを特徴とする、請求項１４に記載のガス処理システム。
【請求項１６】
前記第２のガスが、圧縮ガスであることを特徴とする、請求項７〜１５のいずれか一項に記載のガス処理システム。
【請求項１７】
前記ガス噴射装置が、オリフィスを備えていることを特徴とする、請求項２〜６、８〜９、１１〜１５のいずれか一項に記載のガス処理システム。
【手続補正２】
【補正対象書類名】明細書
【補正対象項目名】０００２
【補正方法】変更
【補正の内容】
【０００２】
発電所や化学プラント等における石炭焚きボイラ、製鉄所における高炉、コークス炉、転炉等から排出される排ガス中に含まれる硫黄酸化物等の有害ガス成分は、例えば、湿式脱硫処理装置等を用いて分離・除去されている。また、より効率の高い有害ガス成分の分離・除去方法として、活性炭を用いる、いわゆる物理吸着法が知られている。
【手続補正３】
【補正対象書類名】明細書
【補正対象項目名】０００４
【補正方法】変更
【補正の内容】
【０００４】
このような中で、例えば石炭焚きボイラ、製鉄所における高炉、コークス炉、転炉等から排出される排ガスの処理に関しては、硫黄酸化物等の有害ガス成分を効率よく除去するとともに、二酸化炭素については効率よく回収する必要があり、有害ガス成分の除去と二酸化炭素の回収とを一連の処理として効率よく連続的に行うことができる排ガスの処理システムが必要とされている。
【手続補正４】
【補正対象書類名】明細書
【補正対象項目名】０００５
【補正方法】変更
【補正の内容】
【０００５】
また例えばＬＮＧ焚きボイラ等から排出される排ガスの処理に関しては、有害ガス成分を効率よく除去するとともに、二酸化炭素についても効率よく回収する必要があり、有害ガス成分の除去と二酸化炭素の回収とを一連の処理として効率よく連続的に行うための仕組みが必要とされている。
【手続補正５】
【補正対象書類名】明細書
【補正対象項目名】０００６
【補正方法】変更
【補正の内容】
【０００６】
そしてこれらの排ガスの処理に関しては硫黄酸化物等の有害ガス成分を効率よく除去するとともに、二酸化炭素についても効率よく回収する必要があり、有害ガス成分の除去と二酸化炭素の回収とを一連の処理として効率よく連続的に行うことができる排ガスの処理システムが必要とされている。
【手続補正６】
【補正対象書類名】明細書
【補正対象項目名】０００９
【補正方法】変更
【補正の内容】
【０００９】
本発明は以上のような背景に鑑みてなされたものであって、硫黄酸化物を含むガスから、有害ガス成分を効率よく除去し、かつ、二酸化炭素を効率よく回収することができるガスの処理方法及びシステムを提供することを目的とする。
【手続補正７】
【補正対象書類名】明細書
【補正対象項目名】００１１
【補正方法】変更
【補正の内容】
【００１１】
また、本発明にかかるガス処理方法は、硫黄酸化物を含有する前記第１のガスを、二酸化炭素を固化させないが硫黄酸化物を液化させる第１の温度に冷却することにより前記第１のガスに含まれる硫黄酸化物を液化させて前記第１のガスから除去する第１の工程と、前記硫黄酸化物を除去した第１のガスを二酸化炭素を固化させる第２の温度に冷却することにより、前記硫黄酸化物を除去した第１のガスに含まれる二酸化炭素を、固化させ、前記硫黄酸化物を除去した第１のガスが供給された容器の内部の面に付着させて、前記固化した二酸化炭素が付着した前記面に第２のガスを吹き付けることによって、前記固化した二酸化炭素を、前記面より分離し、前記硫黄酸化物を除去した第１のガスから除去する第２の工程を含むことを特徴とする。
【手続補正８】
【補正対象書類名】明細書
【補正対象項目名】００１２
【補正方法】変更
【補正の内容】
【００１２】
本ガス処理方法は、前記第１の工程において、前記硫黄酸化物が液化する温度以下の温度の冷却媒体に、前記第１のガスを流通させることにより、前記第１のガスに含まれる硫黄酸化物を前記第１のガスから除去することを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
本発明にかかるガス処理方法は、硫黄酸化物をさらに含有する前記第１のガスを、二酸化炭素を固化させないが前記硫黄酸化物を液化させる第１の温度に冷却することにより前記第１のガスに含まれる硫黄酸化物を液化させて前記第１のガスから除去する第１の工程と、前記硫黄酸化物を除去した第１のガスを二酸化炭素を固化させる第２の温度に冷却することにより、前記硫黄酸化物を除去した第１のガスに含まれる二酸化炭素を、固化させ、前記硫黄酸化物を除去した第１のガスが供給された容器の内部の面に付着させて、前記固化した二酸化炭素が付着した前記面に第２のガスを吹き付けることによって、前記固化した二酸化炭素を、前記面より分離し、前記硫黄酸化物を除去した第１のガスから除去する第２の工程を含むことを特徴とする。
【手続補正１２】
【補正対象書類名】明細書
【補正対象項目名】００１６
【補正方法】変更
【補正の内容】
【００１６】
本ガス処理方法は、前記第１の工程において、前記硫黄酸化物が液化する温度以下の温度の冷却媒体に、前記第１のガスを流通させることにより、前記第１のガスに含まれる硫黄酸化物を前記第１のガスから除去することを特徴とする。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
また、本ガス処理方法は、前記第１の工程により前記第１のガスから分離される前記硫黄酸化物を気化させる温度に昇温することにより、硫黄酸化物を分離する第５の工程を含むことを特徴とする。
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３７
【補正方法】変更
【補正の内容】
【００３７】
本発明にかかるガス処理システムは、二酸化炭素、硫黄酸化物の一方を含有する第１のガスを、二酸化炭素を固化させないが前記硫黄酸化物を液化させる第１の温度に冷却することにより、前記第１のガスに含まれる硫黄酸化物を液化させて前記第１のガスから除去するための第１の装置と、前記硫黄酸化物を除去した第１のガスを、二酸化炭素を固化させる第２の温度で冷却することにより、前記硫黄酸化物を除去した第１のガスに含まれる二酸化炭素を固化させ、前記硫黄酸化物を除去した第１のガスが導入された容器の内部の面に付着させて、前記固化した二酸化炭素が付着した前記面に第２のガスを吹き付けることによって、前記固化した二酸化炭素を前記面より分離し、前記硫黄酸化物を除去した第１のガスから除去するための第２の装置を備えることを特徴とする。
【手続補正２１】
【補正対象書類名】明細書
【補正対象項目名】００３８
【補正方法】変更
【補正の内容】
【００３８】
また、本発明にかかるガス処理システムは、二酸化炭素、及び硫黄酸化物の一方を含有する第１のガスから前記二酸化炭素、硫黄酸化物を除去するためのガス処理システムであって、前記ガス処理システムは、第１の装置と第２の装置を含み、前記第１の装置は、前記二酸化炭素、硫黄酸化物を含有する前記第１のガスを供給するための第４の入口と、前記硫黄酸化物の一部または全部を除去した後の第１のガスを排出するための第４の出口と、前記硫黄酸化物を排出するための第５の出口を備えた第１の容器と、前記硫黄酸化物を液化させるための第１の冷却装置を備え、前記第２の装置は、前記第４の出口から排出された前記硫黄酸化物の一部または全部を除去した後の第１のガスを供給するための第１の入口と、前記二酸化炭素の一部または全部を除去した後の第１のガスを排出するための第１の出口と、固化した二酸化炭素を排出するための第２の出口を備えた第２の容器と、前記二酸化炭素を固化させるための第２の冷却装置と、第２の冷却装置によって固化した二酸化炭素が付着した前記容器の内部の面に第２のガスを吹き付けるためのガス噴射装置を備え、前記第１の容器は、前記第４の入口より供給される前記第１のガスの量を制御するための手段と、前記第４の出口より排出される前記硫黄酸化物の一部または全部を除去した後の第１のガスの量を制御するための手段を備え、前記第２の容器は、前記第１の入口より供給される前記硫黄酸化物の一部または全部を除去した後の第１のガスの量を制御するための手段と、前記第１の出口より排出される前記二酸化炭素の一部または全部を除去した後の第１のガスの量を制御するための手段を備えることを特徴とする。
【手続補正２２】
【補正対象書類名】明細書
【補正対象項目名】００３９
【補正方法】変更
【補正の内容】
【００３９】
本ガス処理システムは、前記第１の冷却装置が、前記硫黄酸化物が液化する温度以下の温度の冷却媒体に、前記二酸化炭素、硫黄酸化物を含有する第１のガスを流通させることにより、前記第１のガスに含まれる硫黄酸化物を前記第１のガスから除去することを特徴とする。
【手続補正２３】
【補正対象書類名】明細書
【補正対象項目名】００４０
【補正方法】削除
【補正の内容】
【手続補正２４】
【補正対象書類名】明細書
【補正対象項目名】００４１
【補正方法】変更
【補正の内容】
【００４１】
本発明にかかるガス処理システムは、二酸化炭素、硫黄酸化物を含有する第１のガスを、二酸化炭素を固化させないが前記硫黄酸化物を液化させる第１の温度に冷却することにより、前記第１のガスに含まれる硫黄酸化物を液化させて前記第１のガスから除去するための第１の装置と、前記硫黄酸化物を除去した第１のガスを、二酸化炭素を固化させる第２の温度で冷却することにより、前記硫黄酸化物を除去した第１のガスに含まれる二酸化炭素を固化させ、前記硫黄酸化物を除去した第１のガスが導入された容器の内部の面に付着させて、前記固化した二酸化炭素が付着した前記面に第２のガスを吹き付けることによって、前記固化した二酸化炭素を前記面より分離し、前記硫黄酸化物を除去した第１のガスから除去するための第２の装置を備えることを特徴とする。
【手続補正２５】
【補正対象書類名】明細書
【補正対象項目名】００４２
【補正方法】変更
【補正の内容】
【００４２】
また、本発明にかかるガス処理システムは、二酸化炭素、硫黄酸化物を含有する第１のガスから前記二酸化炭素、硫黄酸化物を除去するためのガス処理システムであって、前記ガス処理システムは、第１の装置と第２の装置を含み、前記第１の装置は、前記二酸化炭素、硫黄酸化物を含有する前記第１のガスを供給するための第４の入口と、前記硫黄酸化物の一部または全部を除去した後の第１のガスを排出するための第４の出口と、前記硫黄酸化物を排出するための第５の出口を備えた第１の容器と、前記硫黄酸化物を液化させるための第１の冷却装置を備え、前記第２の装置は、前記第４の出口から排出された前記硫黄酸化物の一部または全部を除去した後の第１のガスを供給するための第１の入口と、前記二酸化炭素の一部または全部を除去した後の第１のガスを排出するための第１の出口と、固化した二酸化炭素を排出するための第２の出口とを備えた第２の容器と、前記二酸化炭素を固化させるための第２の冷却装置と、第２の冷却装置によって固化した二酸化炭素が付着した前記容器の内部の面に第２のガスを吹き付けるためのガス噴射装置を備え、前記第１の容器は、前記第４の入口より供給される前記第１のガスの量を制御するための手段と、前記第４の出口より排出される前記硫黄酸化物の一部または全部を除去した後の第１のガスの量を制御するための手段を備え、前記第２の容器は、前記第１の入口より供給される前記硫黄酸化物の一部または全部を除去した後の第１のガスの量を制御するための手段と、前記第１の出口より排出される前記二酸化炭素の一部または全部を除去した後の第１のガスの量を制御するための手段を備えることを特徴とする。
【手続補正２６】
【補正対象書類名】明細書
【補正対象項目名】００４３
【補正方法】変更
【補正の内容】
【００４３】
本ガス処理システムは、前記第１の冷却装置が、前記硫黄酸化物が液化する温度以下の温度の冷却媒体に、前記二酸化炭素、硫黄酸化物を含有する第１のガスを流通させることにより、前記第１のガスに含まれる硫黄酸化物を前記第１のガスから除去することを特徴とする。
【手続補正２７】
【補正対象書類名】明細書
【補正対象項目名】００４４
【補正方法】削除
【補正の内容】
【手続補正２８】
【補正対象書類名】明細書
【補正対象項目名】００４５
【補正方法】削除
【補正の内容】
【手続補正２９】
【補正対象書類名】明細書
【補正対象項目名】００４６
【補正方法】削除
【補正の内容】
【手続補正３０】
【補正対象書類名】明細書
【補正対象項目名】００５２
【補正方法】削除
【補正の内容】
【手続補正３１】
【補正対象書類名】明細書
【補正対象項目名】００５３
【補正方法】削除
【補正の内容】
【手続補正３２】
【補正対象書類名】明細書
【補正対象項目名】００５４
【補正方法】削除
【補正の内容】
【手続補正３３】
【補正対象書類名】明細書
【補正対象項目名】００５５
【補正方法】削除
【補正の内容】
【手続補正３４】
【補正対象書類名】明細書
【補正対象項目名】００５６
【補正方法】削除
【補正の内容】
【手続補正３５】
【補正対象書類名】明細書
【補正対象項目名】００５７
【補正方法】削除
【補正の内容】
【手続補正３６】
【補正対象書類名】明細書
【補正対象項目名】００５８
【補正方法】変更
【補正の内容】
【００５８】
本発明により、硫黄酸化物を含むガスから、有害ガス成分を効率よく除去し、かつ、二酸化炭素を効率よく回収することができるガスの処理方法及びシステムを提供することができるようになる。
【手続補正３７】
【補正対象書類名】明細書
【補正対象項目名】００６０
【補正方法】変更
【補正の内容】
【００６０】
＜有害ガス回収システム及び回収方法＞
＝第１実施形態＝
図２に本発明の第１実施形態として説明するガス処理システムの概略的な構成を示している。このガス処理システムによれば、発電所や化学プラント等における、石炭焚きボイラ・重油焚きボイラ、製鉄所における高炉、コークス炉、転炉等の排ガス発生源１０から排出される硫黄酸化物等の有害ガス成分を含んだ排ガスについて、当該排ガスに含まれる水分や有害ガス成分を効率よく確実に除去できるだけでなく、排ガスに含まれる二酸化炭素（ＣＯ２）を効率よく確実に回収できる。特に、有毒ガスが硫黄酸化物を含んでいる場合に、好適に適用され得る。
【手続補正３８】
【補正対象書類名】明細書
【補正対象項目名】００６１
【補正方法】変更
【補正の内容】
【００６１】
本実施形態の排ガス処理システムは、まず前プロセスとして、排ガス発生源１０から排出される硫黄酸化物等の有害ガス成分を含んだ排ガス（ガス）を、熱交換器１１及び凝縮器（コンデンサ）１３に収容される工業用水に導入することにより室温程度に冷却する。
【手続補正３９】
【補正対象書類名】明細書
【補正対象項目名】００６２
【補正方法】変更
【補正の内容】
【００６２】
次に第１の工程として室温程度に冷却された排ガスを、脱水塔１７において排ガスに含まれる二酸化炭素を液化または固化させないが、排ガスに含まれる水分、硫黄酸化物を液化または固化させるような第１の温度（例えば、−９０℃）に冷却することにより、水分、及び硫黄酸化物だけを液化または固化させて、これらを排ガスから分離する。さらに第２の工程として、水分、及び硫黄酸化物を除去した排ガスを二酸化炭素回収装置３０に導入し、ここで排ガス中に含まれている二酸化炭素を冷却固化させて分離し回収する。回収された二酸化炭素は、その後、ドライアイス回収容器６０において液化される。
【手続補正４０】
【補正対象書類名】明細書
【補正対象項目名】００６３
【補正方法】変更
【補正の内容】
【００６３】
第１の工程においては、例えば排ガス（第１のガスに相当する）を冷却媒体に流通させることによって冷却し、排ガスに含まれる水分、及び硫黄酸化物を冷却媒体中で液化または固化させて媒体と一緒に分離することができる。
【手続補正４１】
【補正対象書類名】明細書
【補正対象項目名】００６４
【補正方法】削除
【補正の内容】
【手続補正４２】
【補正対象書類名】明細書
【補正対象項目名】００６７
【補正方法】変更
【補正の内容】
【００６７】
上記システムを用いた、この排ガスの処理システムの具体的な処理プロセスについて順に説明する。まず前処理として、石炭焚きボイラや重油焚きボイラ、製鉄所における高炉、コークス炉、転炉等の排ガス発生源１０から排出される、硫黄酸化物等の有害ガス成分を含む排ガスが、熱交換器１１に導入される。熱交換器１１には海水ポンプ１２によって供給される海水（例えば２５℃）、及び、冷凍器４０から循環供給されるエチレングリコール等の冷媒が導かれている。排ガス発生源１０から導かれる排ガス（例えば５５℃）は、熱交換器１１を通過することにより上記海水及び冷媒によって室温程度に冷却される。
【手続補正４３】
【補正対象書類名】明細書
【補正対象項目名】００６８
【補正方法】変更
【補正の内容】
【００６８】
熱交換器において室温程度に冷却された排ガスは、次に凝縮器（コンデンサ）１３に導かれる。凝縮器１３において、排ガスは当該凝縮器１３に収容されている工業用水に導入される。これにより当該排ガスに含まれている水分、水溶性の有害ガス成分（例えば、ＳＯ２の一部）、煤塵等が除去される。排ガスから除去された水分、有害ガス成分、煤塵等を含んだ液化水は、一旦、排水槽１４に貯留された後、排水ポンプ１５により排水処理装置５０に導かれる。
【手続補正４４】
【補正対象書類名】明細書
【補正対象項目名】００６９
【補正方法】変更
【補正の内容】
【００６９】
一方、凝縮器１３を通過した排ガスは、排ガスファン１６によって脱水塔１７へと導かれる。脱水塔１７は、冷却装置（第１の冷却装置に相当する）、第４の入口、第４の出口、第５の出口を備えている。脱水塔１７では、排ガスについて更に脱水（除湿）及び有害ガス成分（硫黄酸化物等）の除去が行われる。なお、ここで排ガス中の水分を脱水することで、後に行われる排ガス中の二酸化炭素の回収工程において、二酸化炭素を効率よく回収することができる。
【手続補正４５】
【補正対象書類名】明細書
【補正対象項目名】００７０
【補正方法】変更
【補正の内容】
【００７０】
脱水塔１７において、排ガスは脱水塔１７の下方側（第４の入口）から導入される。脱水塔１７に導入された排ガスは、脱水塔１７内に満たされているＤＭＥにバブリング方式により流通される。そしてＤＭＥと熱交換することにより排ガスは冷却される。このときの冷却温度は、排ガス中の水分や硫黄酸化物等の有害ガス成分については液化させるが、二酸化炭素については固化させない温度であって、例えば，−９０℃である。このような温度に排ガスを冷却することで、有害ガス成分については液化されて排ガスから分離されるが、二酸化炭素については気体のまま排ガス中に残留することになる。
【手続補正４６】
【補正対象書類名】明細書
【補正対象項目名】００７１
【補正方法】削除
【補正の内容】
【手続補正４７】
【補正対象書類名】明細書
【補正対象項目名】００７２
【補正方法】削除
【補正の内容】
【手続補正４８】
【補正対象書類名】明細書
【補正対象項目名】００７３
【補正方法】削除
【補正の内容】
【手続補正４９】
【補正対象書類名】明細書
【補正対象項目名】００７４
【補正方法】削除
【補正の内容】
【手続補正５０】
【補正対象書類名】明細書
【補正対象項目名】００７５
【補正方法】変更
【補正の内容】
【００７５】
脱水塔１７において排ガスが流通されたＤＭＥは、第５の出口から排出され、ＤＭＥ分離塔２０へと導かれる。このＤＭＥ分離塔２０に導かれたＤＭＥは液化または固化した水分及び有害ガス成分を含んでいる。
【手続補正５１】
【補正対象書類名】明細書
【補正対象項目名】００７６
【補正方法】削除
【補正の内容】
【手続補正５２】
【補正対象書類名】明細書
【補正対象項目名】００７７
【補正方法】削除
【補正の内容】
【手続補正５３】
【補正対象書類名】明細書
【補正対象項目名】００８２
【補正方法】変更
【補正の内容】
【００８２】
以上に説明したように、本実施形態の排ガス処理システムにあっては、石炭焚きボイラ、重油焚きボイラ、製鉄所における高炉、コークス炉、転炉等から排出される硫黄酸化物等の有害ガス成分を含んだ排ガスについて、当該排ガスに含まれる水分や有害ガス成分を効率よく除去することができる。また、このように水分や有害ガス成分を効率よく除去しつつ、排ガスに含まれる二酸化炭素を効率よく回収することができる。
【手続補正５４】
【補正対象書類名】明細書
【補正対象項目名】００８３
【補正方法】削除
【補正の内容】
【手続補正５５】
【補正対象書類名】明細書
【補正対象項目名】００８４
【補正方法】変更
【補正の内容】
【００８４】
＝第２実施形態＝
【手続補正５６】
【補正対象書類名】明細書
【補正対象項目名】００８５
【補正方法】削除
【補正の内容】
【手続補正５７】
【補正対象書類名】明細書
【補正対象項目名】００８６
【補正方法】変更
【補正の内容】
【００８６】
ＬＮＧ焚きボイラ等から発生する排ガスに対する排ガス処理システムの概略的な構成を、本発明の第２の実施形態として、図３に示した。
【手続補正５８】
【補正対象書類名】明細書
【補正対象項目名】００８８
【補正方法】変更
【補正の内容】
【００８８】
＜二酸化炭素回収システム＞
＝第１実施形態＝
【手続補正５９】
【補正対象書類名】明細書
【補正対象項目名】００８９
【補正方法】削除
【補正の内容】
【手続補正６０】
【補正対象書類名】明細書
【補正対象項目名】００９０
【補正方法】削除
【補正の内容】
【手続補正６１】
【補正対象書類名】明細書
【補正対象項目名】００９１
【補正方法】削除
【補正の内容】
【手続補正６２】
【補正対象書類名】明細書
【補正対象項目名】００９２
【補正方法】削除
【補正の内容】
【手続補正６３】
【補正対象書類名】明細書
【補正対象項目名】００９３
【補正方法】削除
【補正の内容】
【手続補正６４】
【補正対象書類名】明細書
【補正対象項目名】００９４
【補正方法】削除
【補正の内容】
【手続補正６５】
【補正対象書類名】明細書
【補正対象項目名】００９５
【補正方法】削除
【補正の内容】
【手続補正６６】
【補正対象書類名】明細書
【補正対象項目名】００９６
【補正方法】削除
【補正の内容】
【手続補正６７】
【補正対象書類名】明細書
【補正対象項目名】００９７
【補正方法】削除
【補正の内容】
【手続補正６８】
【補正対象書類名】明細書
【補正対象項目名】００９８
【補正方法】削除
【補正の内容】
【手続補正６９】
【補正対象書類名】明細書
【補正対象項目名】００９９
【補正方法】削除
【補正の内容】
【手続補正７０】
【補正対象書類名】明細書
【補正対象項目名】０１００
【補正方法】削除
【補正の内容】
【手続補正７１】
【補正対象書類名】明細書
【補正対象項目名】０１０１
【補正方法】削除
【補正の内容】
【手続補正７２】
【補正対象書類名】明細書
【補正対象項目名】０１０２
【補正方法】削除
【補正の内容】
【手続補正７３】
【補正対象書類名】明細書
【補正対象項目名】０１０３
【補正方法】変更
【補正の内容】
【０１０３】
＝第２実施形態＝
本実施形態では、容器１０３を冷却するための冷却装置１０９を容器１０３の内部に設ける。例えば、図５に示すように冷媒流通管２１７を第１の円筒管１０４の内部に挿入する。具体的には、例えば、長さ900mm×20本、管外表面積7.1m2、材質：銅管（フィン付）のような管として作製すればよい。挿入する冷媒流通管は、容器１０３の内部に流通させるガスとの間の接触面積を十分に確保するために、容器１０３の内部において２本に分岐させてもよい。また、第１の円筒管１０４の内部で蛇行させることによって、ガスとの間の接触面積が十分に確保してもよい。冷媒となる液体窒素は、第１の円筒管１０４の上面所定位置に設けられた入口２１８から供給し、出口２１９から排出させる。冷媒流通管２１７の上流には、冷媒の流量を制御するための手段の一例として制御バルブ２２０を設ける。
【手続補正７４】
【補正対象書類名】明細書
【補正対象項目名】０１０６
【補正方法】変更
【補正の内容】
【０１０６】
まず、冷却装置１０９を起動させ、容器１０３内部の冷却を開始する。この際、二酸化炭素が固化する温度まで、容器１０３の内側面の温度を低下させる。即ち、図７に示すように、二酸化炭素の昇華点は１atmで-78.5℃であるため、容器１０３内の圧力が１atmの場合、容器１０３の内側面の温度は少なくとも-78.5℃以下にする。
【手続補正７５】
【補正対象書類名】明細書
【補正対象項目名】０１１４
【補正方法】削除
【補正の内容】
【手続補正７６】
【補正対象書類名】明細書
【補正対象項目名】０１１５
【補正方法】削除
【補正の内容】
【手続補正７７】
【補正対象書類名】明細書
【補正対象項目名】０１１６
【補正方法】削除
【補正の内容】
【手続補正７８】
【補正対象書類名】明細書
【補正対象項目名】０１１７
【補正方法】削除
【補正の内容】
【手続補正７９】
【補正対象書類名】明細書
【補正対象項目名】０１１８
【補正方法】削除
【補正の内容】
【手続補正８０】
【補正対象書類名】明細書
【補正対象項目名】０１１９
【補正方法】削除
【補正の内容】
【手続補正８１】
【補正対象書類名】明細書
【補正対象項目名】０１２０
【補正方法】削除
【補正の内容】
【手続補正８２】
【補正対象書類名】明細書
【補正対象項目名】０１２１
【補正方法】削除
【補正の内容】
【手続補正８３】
【補正対象書類名】明細書
【補正対象項目名】０１２２
【補正方法】変更
【補正の内容】
【０１２２】
【図１】本発明の一実施形態において、排ガス処理システムの概略的な構成を示す図である。
【図２】本発明の一実施形態において、排ガス処理システムの概略的な構成を示す図である。
【図３】本発明の一実施形態において、排ガス処理システムの概略的な構成を示す図である。
【図４】本発明の一実施形態において、ガス処理システムの概略的な構成を示す図である。
【図５】本発明の一実施形態において、ガス噴射装置を示す図である。
【図６】本発明の一実施形態において、二酸化炭素のＴ−Ｐ（温度−圧力）線図を示す図である。
【手続補正８４】
【補正対象書類名】明細書
【補正対象項目名】０１２３
【補正方法】変更
【補正の内容】
【０１２３】
１０  排ガス発生源／１１  熱交換器／１２  海水ポンプ／１３  凝縮器（コンデンサ）／１４  排水槽／１５  排水ポンプ／１６  排ガスファン／１７  脱水塔／１８  ＤＭＥ冷却塔／１９  循環ポンプ／２０  ＤＭＥ分離塔／２１  輸送ポンプ／２２  成分分離塔／２３  リバーシブル熱交換器／２８  固液分離装置／３０  二酸化炭素分離装置／４０  冷凍機／４１  窒素昇圧機／４２  循環窒素圧縮機／４３  凝縮器／４４  熱交換器５０  排水処理装置／５１  煙突／６０  ドライアイス回収容器／６１  ＬＮＧタンク
／７０  二酸化炭素回収システム／１０３  容器／１０４  第１の円筒管／１０５  第２の円筒管／１０６  第１の入口／１０７  第１の出口／１０８  第２の出口／１０９  冷却装置／１１０  ガス噴射装置／１１１  第３の入口／１１２  第３の出口／１１３  制御バルブ／１１４  制御バルブ／１１５  第２の入口／１１６  制御バルブ／１２１  二酸化炭素貯留槽／１２２  伝熱管／１２３  熱源／１２４  差圧計／１２５  制御バルブ／１２６  制御バルブ２１０／  装置／２１１  混合器／２１２  冷却容器／２１３  ガス導入管／２１４  ガス排出管  ／２１７  冷媒流通管／２１８  液体窒素入口／２１９  液体窒素出口／２２０  制御バルブ／２２５  ガス噴射口／２２６  オリフィス／２２７  ガス出口／１１００  冷媒／１１０１  容器／１１０２  伝熱管／１１０３  ガス／１１０４  捕集容器／１１０５  ドライアイス／１１０６  ドライアイス液化装置／１１０７  液体の二酸化炭素
【手続補正８５】
【補正対象書類名】図面
【補正対象項目名】全図
【補正方法】変更
【補正の内容】
【図２】
2007069058.tif 000001
【図３】
2007069058.tif 000002
【図６】
2007069058.tif 000003
【図１】
2007069058.tif 000004
【図４】
2007069058.tif 000005
【図５】
2007069058.tif 000006